(57)【要約】【課題】簡単な構造及び制御方法にて障子の開閉とロック操作を連動可能にした窓装置の提供を目的とする。【解決手段】上枠と下枠とを有する窓枠と、前記窓枠内をスライド開閉する障子と備え、前記上枠に沿って前記障子を開閉する駆動部を有するとともに当該駆動部に前記障子との連結装置を固定してあり、前記障子は障子規制部を有し、前記連結装置は前記障子規制部を閉方向に押すための当接部を有し、前記障子は前記下枠側に向けて突没するロックバーと、当該ロックバーを突出方向に作動させる作動カムとを有し、前記ロックバー又は作動カムは当該ロックバーが没入する方向に付勢してあり、前記駆動部が連結装置を障子の閉方向に移動させると、前記連結装置に設けた当接部が障子規制部を押すことで前記障子が全閉し、さらに連結装置を押し込むと、前記作動カムがロックバーを下枠に向けて突出させることを特徴とする。【選択図】  図１
2018076731.tif 000002
【特許請求の範囲】
【請求項１】
上枠と下枠とを有する窓枠と、前記窓枠内をスライド開閉する障子と備え、
前記上枠に沿って前記障子を開閉する駆動部を有するとともに当該駆動部に前記障子との連結装置を固定してあり、
前記障子は障子規制部を有し、
前記連結装置は前記障子規制部を閉方向に押すための当接部を有し、
前記障子は前記下枠側に向けて突没するロックバーと、当該ロックバーを突出方向に作動させる作動カムとを有し、
前記ロックバー又は作動カムは当該ロックバーが没入する方向に付勢してあり、
前記駆動部が連結装置を障子の閉方向に移動させると、前記連結装置に設けた当接部が障子規制部を押すことで前記障子が全閉し、さらに連結装置を押し込むと、前記作動カムがロックバーを下枠に向けて突出させることを特徴とする窓装置。
【請求項２】
前記上枠は押圧ブラケットを有し、前記連結装置が障子の全閉後にさらに押し込まれると、前記押圧ブラケットにより前記作動カムが直接又は作動体を介してロックバーを下枠に向けて突出させることを特徴とする請求項１記載の窓装置。
【請求項３】
前記駆動部はモーター駆動により移動及びその位置が制御され、障子が全閉になるまでの駆動閾値と障子が全閉後にさらに前記連結装置を押し込む際の駆動閾値とが制御されていることを特徴とする請求項１又は２記載の窓装置。
【発明の詳細な説明】
【技術分野】
【０００１】
本発明は、障子の開閉機構及び全閉後のロック機構に関する。
【背景技術】
【０００２】
窓枠内をスライド開閉する障子の開閉操作を電動化する方法が各種提案されている。
例えば、特許文献１には障子の開閉動作を電動化した駆動制御機構と、クレセントレバーの回動を電動化した引違い窓開閉装置を開示する。
しかし、このように障子の開閉とロック操作に別々の駆動手段を用いた構造であっては、部品点数が多くなり制御方法も複雑化する課題がある。
また、例えば障子の上部に設けた電動モーターにて、障子の上部側を開閉駆動した場合にモーターの逆転防止機構にてロック状態を維持できたとしても、障子の下側がふらつく問題がある。
また、逆に障子の下部側で駆動すると上部側がふらつく。
【先行技術文献】
【特許文献】
【０００３】
【特許文献１】特開２００４−２５０９４６号公報
【発明の概要】
【発明が解決しようとする課題】
【０００４】
本発明は、簡単な構造及び制御方法にて障子の開閉とロック操作を連動可能にした窓装置の提供を目的とする。
【課題を解決するための手段】
【０００５】
本発明に係る窓装置は、上枠と下枠とを有する窓枠と、前記窓枠内をスライド開閉する障子と備え、前記上枠に沿って前記障子を開閉する駆動部を有するとともに当該駆動部に前記障子との連結装置を固定してあり、前記障子は障子規制部を有し、前記連結装置は前記障子規制部を閉方向に押すための当接部を有し、前記障子は前記下枠側に向けて突没するロックバーと、当該ロックバーを突出方向に作動させる作動カムとを有し、前記ロックバー又は作動カムは当該ロックバーが没入する方向に付勢してあり、前記駆動部が連結装置を障子の閉方向に移動させると、前記連結装置に設けた当接部が障子規制部を押すことで前記障子が全閉し、さらに連結装置を押し込むと、前記作動カムがロックバーを下枠に向けて突出させることを特徴とする。
ここで、連結装置が障子を全閉状態まで障子規制部を介して押し、さらに連結装置を押し込むことができるように切り換える手段を有する。
切り換え手段は、弾性体，リンク機構，カム機構等、各種方法が考えられる。
【０００６】
上枠と下枠とを有する窓枠と表現したのは、便宜上スライド障子が左右方向にスライドすることをいう。
よって、本発明にて上枠と下枠は、便宜上の位置関係を表現したものであって、障子を上げ下げする窓にあっては、縦枠の一方が上枠に相当し、他方が下枠に相当することになり、このような態様を含む。
障子に設けた障子規制部は、連結装置の当接部により障子が開閉するように干渉する部位をいう。
したがって、連結装置の当接部と障子規制部との関係は、一方が凸部で他方が凹の関係及び相方の凸部同士が干渉する等、その構造に制限はない。
また、障子規制部を押し込むように押圧する態様と逆に障子規制部を引っ張るように当接部が押圧する態様の両方が含まれる。
連結装置の当接部は障子の開方向と閉方向とに有するが、閉方向の当接部が障子規制部を障子が全閉するまで押圧した後に、さらに連結装置を押し込むことができる。
【０００７】
本発明にてロックバーは、障子の上部側で閉及びロック駆動を行い、このロックバーが下枠に向けて突出することで障子の下部側で施錠することをいう。
よって、ロックバーは障子の召合框、戸先框等の縦框内に上下方向に一本のバー材を設けて、ロックバーの上部側を作動カムで突没操作してもよい。
また、障子の下部に設けたロックバーを上部側の作動カムとリンク連節、ワイヤー連結等の間接的な連結方法でもよい。
さらには、左右の縦枠の間を上下する窓装置にあっては、ロックバーが左右方向に設けられていて、他方の縦枠に向けてロックバーが突出することになる。
【０００８】
本発明において、作動カムの作動手段に各種手段を採用することができるが、前記上枠は押圧ブラケットを有し、前記連結装置が障子の全閉後にさらに押し込まれると、前記押圧ブラケットにより前記作動カムが直接又は作動体を介してロックバーを下枠に向けて突出させる態様が例として挙げられる。
【０００９】
連結装置を移動制御する手段としてモーター駆動を用いた場合に、操作電流等に一定の閾値を設定し障子の間に手などを挟んだ場合等、過負荷状態になった場合に駆動部を反転させることが一般に行われている。
本発明において、さらに前記駆動部はモーター駆動により移動及びその位置が制御され、障子が全閉になるまでの駆動閾値と障子が全閉後にさらに前記連結装置を押し込む際の駆動閾値とが制御されているのが好ましい。
これにより、操作者のＯＮ，ＯＦＦ操作により障子の開閉とロックの施錠、解錠とが連動し、簡単な操作で済む。
【発明の効果】
【００１０】
本発明に係る窓装置は、障子の全閉操作とロック操作を駆動部と障子との連結装置にて連動化できたので、１つのアクチュエーターでよくなり、構造が簡単で制御方法もシンプルになることから、使用者の操作性が優れるとともに安価な装置となる。
【図面の簡単な説明】
【００１１】
【図１】本発明を引違い窓に適用した例を示し、（ａ）は内障子が一部開いた状態、（ｂ）は内障子が全閉し、ロックされた状態を示す。
【図２】（ａ）は連結装置付近の拡大図を示し、（ｂ）はロック受けの部分を示す。
【図３】連結装置が障子の全閉後に、さらに押し込まれる状態を示す。
【図４】連結装置がロックバーを下降させる状態を（ａ）に示し、そのときのロック受けの状態を（ｂ）に示す。
【図５】連結装置の押し込みの切り換え手段としてリンク手段を用いた例を示す。（ａ）は切り換え前、（ｂ）は切り換え後を示す。
【図６】連結装置の押し込み切り換え手段としてカムを用いた例である。
【発明を実施するための形態】
【００１２】
本発明に係る窓装置を引違い障子窓に適用した例にて、以下説明する。
上枠１１ａ，下枠１１ｂと、左右の縦枠１１ｃ，１１ｄにより窓枠１１が形成されている。
この窓枠１１の内側に内障子１２と外障子１３とが引違いにスライド開閉する。
内障子１２は上框１２ａ，下框１２ｂ，縦框（召合せ框）１２ｃ，縦框１２ｄで枠体を形成し、内側にガラス等が装置されている。
なお、本発明は片引き窓，上下窓等、障子が窓枠内を移動する各種窓装置に適用できる。
【００１３】
上枠１１ａの全長に沿って、無端タイプのベルト１５が駆動プーリー１４ａと従動プーリー１４ｂとの間に張設され、駆動プーリー１４ａがモーターからなる駆動装置１４にて回転制御されている。
図２に示すように、このベルト１５の駆動部２０ａに連結装置２０が取り付け固定されている。
これによりベルトの駆動部２０ａの直線運動により内障子１２が開閉スライドする。
なお、連結装置２０が上枠に沿って並進運動するものであれば、ロッドが前進及び後退する駆動装置であってもよい。
内障子１２の召合せ框内１２ｃには、上下方向のロックバー２１が配設され、ロックバー２１が下降すると図１（ｂ）に示すようにロックバー２１の先端部が下枠１２ｂ側に向けて突出し、下枠１２ｂに取り付けたブラケット状のロック受け３０に係合し、ロック状態になる。
【００１４】
連結装置２０の構造例を図２に示す。
連結装置２０はケースカバー構造になっていて、内側に内障子１２の上框１２ａに設けた突状の障子規制部１８が位置するようになっている。
連結装置２０には内障子１２を閉方向に移動させるのに弾性体２３を取り付けた当接部２２を有する。
よって、内障子１２が閉じる際には当接部２２が弾性体２３を介して障子規制部１８を押圧し、内障子１２が閉方向に移動することになる。
なお、内障子１２を開く場合には連結装置２０が障子規制部１８を介して開方向にスライドする。
【００１５】
内障子１２の召合せ框１２ｃは中空断面構造であり、内側にロックバー２１が貫通した状態で上下方向に配設され、ロックバー２１の上部に形成した長孔からなる連結孔２１ｂを介して作動カム２５と連結されている。
作動カム２５はロックバー２１が上昇する方向に図示を省略したが、バネで付勢されている。
なお、ロックバー２１を上方に弾性体で付勢してもよい。
作動カム２５は、回動可能に軸部２５ｂにて軸着され、力点部２５ｃが押圧されると作用ピン２５ａがロックバー２１を、この連結孔２１ｂを介して押し下げる。
【００１６】
連結装置２０は、作動カム２５の力点部２５ｃに向けて、スライド可能に作動体２４を取り付けてある。
一方、上枠側には、この作動体２４に当接する押圧ブラケット１６を取り付けてある。
内障子１２が開閉スライドする範囲では、この押圧ブラケット１６と作動体２４とは干渉しないようになっている。
図３に示すようにベルト１５の回転により内障子１２が全閉の状態になり、内障子１２の戸先が窓枠１１の縦框１１ｄに当たった状態から、さらに連結装置２０を矢印の方向（閉方向）に移動させるには、内障子１２の障子規制部１８は、この内障子１２の全閉により移動しないので、当接部２２は弾性体２３を押しつぶすようになり、これにより連結装置２０が押し込み方向に移動することになる。
この際に作動体２４は押圧ブラケット１６により押し込まれ、作動カム２５の力点部２５ｃを押圧する。
なお、作動体２４はレバー形状でもよく、また押圧ブラケット１６が直接作動カム２５の力点部２５ｃに当たるようにしてもよい。
これにより図４に示すように作動カム２５が矢印の方向に回動し、ロックバー２１の先端部２１ａがブラケットからなるロック受け３０の係合孔３１に挿入されロック状態になる。
【００１７】
連結装置２０の移動量は、駆動装置１４内のエンコーダーにより位置制御されている。
内障子１２が閉方向に移動している間は電流等の閾値管理により、手などが挟まれ過負荷になると駆動方向が反転するようになっている。
内障子が全閉し図４に示すように連結装置２０をさらに押し込む際には、上記閾値を高くし、弾性体２３の反発力に対抗しながら駆動させることになるので、ロックバー２１を下降しロックさせた状態の連結装置２０の位置を、この連結装置２０に設けた接触部２６がリミットスイッチ１７の接点１７ａに当たり駆動が停止し、それ以上移動しないようになっている。
【００１８】
内障子１２を開く際には作動体２４がバックし、作動カム２５の付勢力にてロックバー２１が上昇するので、ロック状態が解除された後に連続的にそのまま連結装置２０が移動し内障子１２が開く。
【００１９】
上記実施例は、連結装置２０の当接部２２が障子規制部１８を押し、内障子１２を全閉状態にした後に、さらに連結装置２０を押し込むための手段として、当接部２２と障子規制部１８との間に弾性体２３を設けた。
この弾性体の替わりにリンク機構を設けた例を図５に示し、カム機構の例を図６に示す。
このように、連結装置２０の押し込み切り換え手段には、制限がない。
【００２０】
図５に示したリンク機構の例は、第１リンク１２３に当接部１２３ａを設け、第２リンク１２３ｄが押圧ブラケット１６に当たると、この第２リンクにて第１リンク１２３の当接部１２３ａを障子規制部１８から外れるようにした例である。
具体的には、Ｌ字形状の第１リンク１２３に回転軸１２３ｂと長孔１２３ｃを形成し、第２リンク１２３ｄを回動自在に支点部１２３ｅで取り付け、リンクの一方が押圧ブラケット１６に当たると、第１リンク１２３の長孔１２３ｃに連結した他方のリンクピン１２３ｆが作動し、第１リンク１２３の当接部１２３ａが上方に回動し、障子規制部１８との規制が解除され、さらに連結装置２０を押し込むことが可能になる。
【００２１】
図６は、障子規制部１８に斜面部１８ａを設け、この部分にてカム２２３との当接部２２３ａが当たるようにした例である。
カム２２３は、長孔２２３ｂと連結ピン２２３ｃとの組み合せと、下方向に付勢したスプリング２２３ｄにより、障子規制部１８の斜面部１８ａを下方向に押圧している。
これにより連結装置２０は、内障子１２が全閉状態になるまでは障子規制部１８を介して内障子をスライドさせるが、内障子１２が縦枠に当たると移動できなくなる。
さらに、駆動部を作動させると連結装置２０は、カム２２３がスプリング２２３ｄの付勢力に対抗して後退するので、さらに押し込まれる。
【符号の説明】
【００２２】
１１      窓枠
１２      内障子
１３      外障子
１４      駆動装置
１５      ベルト
１６      押圧ブラケット
１７      リミットスイッチ
１８      障子規制部
２０      連結装置
２０ａ    駆動部
２１      ロックバー
２２      当接部
２３      弾性体
２４      作動体
２５      作動カム
３０      ロック受け
【図１】
2018076731.tif 000003
【図２】
2018076731.tif 000004
【図３】
2018076731.tif 000005
【図４】
2018076731.tif 000006
【図５】
2018076731.tif 000007
【図６】
2018076731.tif 000008